(57)【要約】【課題】ＬＤ異常発光を予め検出することが可能となり、異常画像の発生を回避すること。【解決手段】同期検知センサの出力信号に対するゲイン切替によりＬＤ異常発光の検出を行う。【選択図】図２
2008076496.tif 000002
【特許請求の範囲】
【請求項１】
同期検知センサの出力信号に対するゲイン切替によりＬＤ異常発光の検出を行うことを特徴とする光ビーム走査装置。
【請求項２】
同期検知センサの出力信号に対するコンパレータの基準電圧を切り替えることよりＬＤ異常発光の検出を行うことを特徴とする光ビーム走査装置。
【請求項３】
同期検知センサの出力信号をＡ／Ｄ変換することよりＬＤ異常発光の検出を行うことを特徴とする光ビーム走査装置。
【請求項４】
請求項１または２の光ビーム走査装置において、ＬＤ異常発光検出時はデータによるＬＤ点灯を行わないことを特徴とする光ビーム走査装置。
【請求項５】
請求項１から４の光ビーム走査装置を搭載した画像形成装置。
【発明の詳細な説明】
【技術分野】
【０００１】
本発明は、レーザダイオード（以下ＬＤ）とポリゴンミラーの組み合わせによる走査記録方式の画像形成装置においてＬＤ異常発光を予め検出する技術に関する。
【背景技術】
【０００２】
従来、レーザダイオード（以下ＬＤ）とポリゴンミラーの組み合わせによる走査記録方式の画像形成装置では、書込動作を開始すると、同期を取るためにＬＤを点灯し、ＬＤ光が受光素子に当たることで同期検知信号が得られる。
【０００３】
同期検知部にＬＤ光が入射するタイミングではＬＤが完全に点灯した状態となるため、ＬＤオフセット発光の大小によらず同期検知信号は正常に出力される。
【０００４】
ここで、光ピックアップにおけるレーザ光源の発光パワーの目標値と、該レーザ光源による実際の発光パワーを検出したモニタ信号（ＦＳＰＤ信号）とに基づいて、レーザ光源の発光パワーを制御するパワー制御装置を構成するＡＬＳＩ内に、モニタ信号を増幅する増幅回路としてＶＧＡアンプ、再生検出系のアンプおよび記録検出系のアンプと、このＡＬＳＩ内の温度を検出する温度検出アンプとを備え、その温度検出アンプによる温度検出信号に基づいて、予め求めた相関係数を用いて各アンプに対してそのオフセット成分を除去する信号Ｏfs１〜Ｏfs３を設定して付与することで、光ピックアップからのモニタ信号を増幅する各増幅回路のオフセット成分を除去して、常に正確にレーザ光源の発光パワーを制御できる技術が開示されている（例えば、特許文献１参照）。
【特許文献１】特開２００５−２２８４３３号公報
【発明の開示】
【発明が解決しようとする課題】
【０００５】
しかしながら、従来技術では、ＬＤ異常時にオフセット発光量が大きくなっていても、画像出力結果を見る以外、異常を検知する手段を有していなかった。
【０００６】
そこで、本発明では、ＬＤ異常発光を予め検出することが可能となり、異常画像の発生を回避することを目的とする。
【課題を解決するための手段】
【０００７】
請求項１記載の発明は、同期検知センサの出力信号に対するゲイン切替によりＬＤ異常発光の検出を行うことを特徴とする光ビーム走査装置である。
【０００８】
請求項２記載の発明は、同期検知センサの出力信号に対するコンパレータの基準電圧を切り替えることよりＬＤ異常発光の検出を行うことを特徴とする光ビーム走査装置である。
【０００９】
請求項３記載の発明は、同期検知センサの出力信号をＡ／Ｄ変換することよりＬＤ異常発光の検出を行うことを特徴とする光ビーム走査装置である。
【００１０】
請求項４記載の発明は、請求項１または２記載の光ビーム走査装置において、ＬＤ異常発光検出時はデータによるＬＤ点灯を行わないことを特徴とする。
【００１１】
請求項５記載の発明は、請求項１から４の光ビーム走査装置を搭載した画像形成装置である。
【発明の効果】
【００１２】
本発明によれば、ＬＤ異常発光を予め検出することが可能となり、異常画像の発生を回避することができる。
【発明を実施するための最良の形態】
【００１３】
次に、本発明の第１の実施の形態の構成について図面を参照して説明する。図１に画像形成装置の書込部構成図を示す。
【００１４】
図１において、レーザダイオード・ユニット（ＬＤＵ）１内では、レーザダイオード（ＬＤ）から射出されたレーザビームが不図示のコリメートレンズによって平行光線となり、次いで回転多面鏡（以下、ポリゴンミラーと称す）２によって偏向走査された後、Ｆ−θレンズ３等から構成される結像レンズ及び反射ミラー４によってドラム状の感光体（感光体ドラム）５の帯電した表面に画像を結像する。
【００１５】
このレーザビームは画像信号に基いて変調されて点灯、消灯を繰り返し、図中矢印の主走査方向に反復して走査されると同時に、感光体５が回転して副走査を行うことによって感光体５上に静電潜像を形成する。
【００１６】
感光体５上に形成された静電潜像は帯電した現像剤（トナー）によって現像され、さらに転写部で現像剤とは反対の電荷を与えられた転写紙等の転写材が感光体５に密着させられることで現像剤が転写材に転写される。
【００１７】
そして、転写材が感光体５から分離した後、定着部で加熱および加圧されることで現像剤が転写材上に融着して定着が行われる。
【００１８】
したがって、この実施形態では、感光体５、現像剤、転写部、定着部が画像形成手段を構成し、公知の電子写真方式で画像形成を行う。
【００１９】
また、感光体５上の走査領域外に配置された同期検知ミラー６からの反射光によって受光素子７はレーザビームを検知し、ＬＤ制御部８は、受光素子７によって得られた同期検知信号を基準に各種信号処理を行うタイミング生成回路を有する。
【００２０】
レーザダイオード（以下ＬＤ）とポリゴンミラーの組み合わせによる走査記録方式の画像形成装置では、書込動作を開始すると、同期を取るためにＬＤを点灯し、ＬＤ光が受光素子７に当たることで同期検知信号が得られる。同期検知部にＬＤ光が入射するタイミングではＬＤが完全に点灯した状態となるため、ＬＤオフセット発光の大小によらず同期検知信号は正常に出力される。本実施の形態では同期検知センサ出力により、ＬＤをデータ点灯しない時の微少な発光を検出することを可能とする。
【００２１】
同期検知センサのブロック図を図２に示す。ＣＰＵ上で動作するプログラムにより制御されたＩ／Ｏ制御部から同期検知センサに接続されたゲイン切り替え信号により、ＰＤ（フォトダイオード）から出力される電流を通常より高い増幅率に設定する。
【００２２】
次に、ＬＤ制御部はＬＤドライバＩＣに対してＬＤ消灯状態を解除し、画像データによりＬＤが点灯可能な状態に移行する。この際、画像データを与えられなくても同期検知センサの出力がＯＮになっている場合はＬＤが異常発光していると判断する。
【００２３】
画像形成装置はその後、画像形成を行わずコントローラ部にエラーを通知する。
【００２４】
次に、本実施の形態の処理動作について図面を参照して詳細に説明する。
【００２５】
まず、ＬＤを初期化する（Ｓ２０１）。そこで、ＬＤエラーがあるか否かを判定し（Ｓ２０２）、ある場合（Ｓ２０２／Ｙｅｓ）には、エラー処理を実行する。
【００２６】
一方、ない場合（Ｓ２０２／Ｎｏ）には、ＬＤ異常発光検出用のために同期検知センサのゲイン切り替えを行う（Ｓ２０３）。
【００２７】
同期信号が出力されているか否かを判定し（Ｓ２０４）、ある場合（Ｓ２０４／Ｙｅｓ）には、異常発光あり（Ｓ２０５）としてエラー処理を実行する。
【００２８】
一方、ない場合（Ｓ２０４／Ｎｏ）には、異常発光なし（Ｓ２０６）として、通常の同期検知センサのゲイン切り替えを行う（Ｓ２０７）。
【００２９】
次に、本発明の第２の実施の形態の構成について図面を参照して説明する。上記の第１の実施の形態では同期検知センサに内蔵された回路内部のゲイン切り替えを行う構成であったが、本実施の形態では、同期検知出力信号に対するゲイン設定を変えずに、図４に示すように同期検知センサの外部に設けたコンパレータ回路の基準電圧を切り替えることで、ＬＤバイアス発光時に同期検知出力が発生するか否かにより、ＬＤが異常発光状態であるか否か検出可能とする。
【００３０】
次に、本発明の第３の実施の形態の構成について図面を参照して説明する。ＰＤアナログ出力信号に対するゲイン設定を変えずに、図５に示すように同期検知センサの外部に設けたＡ／Ｄ変換回路を用いて、ＬＤが完全消灯している状態との同期検知出力と、ＬＤバイアス発光時の同期検知出力を数値で比較することで、ＬＤが異常発光状態であるか否か検出可能とする。
【００３１】
なお、上記の各実施の形態において、通常の書込動作で行われている同期検知のためのＬＤ強制点灯やＡＰＣ点灯制御を行わないことで、ＬＤ異常発光がある場合にのみ同期検知信号が出力されるようにすることであってもよい。
【００３２】
なお、上述する各実施の形態は、本発明の好適な実施の形態であり、本発明の要旨を逸脱しない範囲内において種々変更実施が可能である。
【図面の簡単な説明】
【００３３】
【図１】本発明の第１の実施形態の画像形成装置の書込部構成図である。
【図２】本発明の第１の実施形態の同期検知センサのブロック図である。
【図３】本発明の第１の実施形態の処理動作を示すフローチャートである。
【図４】本発明の第２の実施形態の構成を示す図である。
【図５】本発明の第３の実施の形態の構成を示す図である。
【符号の説明】
【００３４】
１    レーザダイオード・ユニット（ＬＤＵ）
２    ポリゴンミラー
３    Ｆ−θレンズ
４    反射ミラー
５    感光体ドラムＤ
６    同期検知ミラー
７    受光素子
【図１】
2008076496.tif 000003
【図２】
2008076496.tif 000004
【図３】
2008076496.tif 000005
【図４】
2008076496.tif 000006
【図５】
2008076496.tif 000007